(57)【特許請求の範囲】
【請求項１】
アルミニウム製のケーブル導体と、前記ケーブル導体の外側を覆うように設けられ架橋ポリエチレンからなるケーブル絶縁体と、を有し、油浸紙を有しない固体絶縁ケーブルとして構成されるケーブルを、銅製の機器側端子を有する電気機器に直接接続するための機器直結端末であって、
前記ケーブル導体に圧縮接続されるアルミニウム製の圧縮端子と、
前記圧縮端子にネジ部どうしの螺合によって締結固定され、前記機器側端子に接続可能に構成される銅製の接続端子と、
少なくとも前記圧縮端子を収容し、前記ケーブル絶縁体が嵌合され、絶縁ゴムからなる端末本体と、
を備え、
前記ネジ部どうしの螺合によって締結力が加わる前記圧縮端子の所定部位に銅のメッキ層が形成され、前記メッキ層を介して前記圧縮端子と前記接続端子とが電気的に接続され、
前記圧縮端子のうち前記ケーブル導体に圧縮接続される部位には前記銅のメッキ層が形成されておらず、前記メッキ層を介さずに前記圧縮端子と前記ケーブル導体とが電気的に接続されている
ことを特徴とする機器直結端末。
【請求項２】
前記ネジ部どうしの螺合によって締結力が加わる前記圧縮端子の所定部位のみに前記銅のメッキ層が形成されている
ことを特徴とする請求項１に記載の機器直結端末。
【請求項３】
前記圧縮端子と前記ケーブル導体とは、金属粒子を含み電食を抑制するコンパウンドを介して電気的に接続されている
ことを特徴とする請求項１又は２に記載の機器直結端末。
【請求項４】
前記圧縮端子は、第１のネジ部を有し、
前記接続端子は、前記第１のネジ部に螺合する第２のネジ部を有し、
前記銅のメッキ層は、前記第１のネジ部に形成されている
ことを特徴とする請求項１〜３のいずれか１項に記載の機器直結端末。
【請求項５】
前記接続端子は、前記圧縮端子に突き当たるストッパー部を有し、
前記圧縮端子は、前記ストッパー部が突き当たるストッパー受け部を有し、
前記銅のメッキ層は、前記圧縮端子の前記ストッパー受け部に形成されている
ことを特徴とする請求項１〜３のいずれか１項に記載の機器直結端末。
【請求項６】
前記圧縮端子は、雌ネジ部または貫通穴を有し、
前記接続端子は、前記雌ネジ部に螺合するか前記貫通穴に挿通する雄ネジ部を有し、
前記接続端子の前記雄ネジ部には銅製のナットが装着されるとともに、前記ナットが前記圧縮端子のナット受け部に突き当てられ、
前記銅のメッキ層は、前記圧縮端子の前記ナット受け部に形成されている
ことを特徴とする請求項１〜３のいずれか１項に記載の機器直結端末。
【請求項７】
前記接続端子は、前記圧縮端子に突き当たるストッパー部を有し、
前記圧縮端子は、前記ストッパー部が突き当たるストッパー受け部と、前記ナットが突き当たるナット受け部とを有し、
前記銅のメッキ層は、前記ストッパー受け部と前記ナット受け部の両方に形成されている
ことを特徴とする請求項６に記載の機器直結端末。
【請求項８】
アルミニウム製のケーブル導体と、前記ケーブル導体の外側を覆うように設けられ架橋ポリエチレンからなるケーブル絶縁体と、を有し、油浸紙を有しない固体絶縁ケーブルとして構成されるケーブルを、銅製の機器側端子を有する電気機器に機器直結端末を用いて接続してなるケーブル接続構造であって、
前記機器直結端末は、
前記ケーブル導体に圧縮接続されたアルミニウム製の圧縮端子と、
前記圧縮端子にネジ部どうしの螺合によって締結固定され、前記機器側端子に接続された銅製の接続端子と、
少なくとも前記圧縮端子を収容し、前記ケーブル絶縁体が嵌合され、絶縁ゴムからなる端末本体と、
を備え、
前記ネジ部どうしの螺合によって締結力が加わる前記圧縮端子の所定部位に銅のメッキ層が形成され、前記メッキ層を介して前記圧縮端子と前記接続端子とが電気的に接続され、
前記圧縮端子のうち前記ケーブル導体に圧縮接続される部位には前記銅のメッキ層が形成されておらず、前記メッキ層を介さずに前記圧縮端子と前記ケーブル導体とが電気的に接続されている
ことを特徴とするケーブル接続構造。
【発明の詳細な説明】
【技術分野】
【０００１】
本発明は、機器直結端末およびケーブル接続構造に関する。
【背景技術】
【０００２】
従来、電気機器にケーブルを直接接続するために機器直結端末が用いられている。機器直結端末は、ケーブルの端部に取り付けられるもので、端末形状の違いによってＩ型、Ｌ型、Ｔ型などがある。また、機器直結端末と電気機器とは、雌雄の関係で双方に設けられた端子どうしを接触させることによって電気的に接続される。具体的には、機器直結端末側に雄型の端子、電気機器側に雌型の端子が設けられる。また、電気機器側にはブッシングが設けられ、このブッシングの内側に上記雌型の端子が設けられる。ブッシングは、機器直結端末と嵌合可能な絶縁性の部材である。機器直結端末を用いたケーブル接続構造としては、たとえば、特許文献１に記載されたものが知られている。
【０００３】
一般に、ケーブルの芯線を構成するケーブル導体には、導電性や耐食性等に優れるという理由から、銅製のものが多く用いられ、これにあわせて機器直結端末の端子や電子機器の端子にも銅製のものが用いられている。ただし近年では、銅の価格が急騰していることもあって、銅よりも材料価格が安いアルミニウム製の導体をケーブルに採用する動きがある。また、アルミニウムは銅に比べて軽いため、ケーブル全体の軽量化を図るためにアルミニウム製の導体をケーブルに採用する場合もある。
【先行技術文献】
【特許文献】
【０００４】
【特許文献１】特開平９−２８９０４９号公報
【発明の概要】
【発明が解決しようとする課題】
【０００５】
しかしながら、アルミニウム製の導体をケーブルに採用するにあたっては、次のような問題がある。まず、アルミニウムは、銅に比べて表面が酸化されやすいという性質がある。このため、たとえば、ケーブル導体にあわせて機器直結端末の端子をアルミニウム製のものにすると、その端子表面が大気中の酸素に触れて徐々に酸化され、最終的にアルミニウムの酸化被膜で覆われてしまう。そうすると、電気機器側のブッシングに機器直結端末を嵌合させて端子どうしを接触させる場合に、アルミニウムの酸化被膜の介在によって端子間の電気抵抗が高くなる。このため、電気機器にケーブルを直接つなぐ場合に、両者を良好な状態で電気的に接続（導通）させることができなくなる。
【０００６】
本発明の主な目的は、アルミニウム製のケーブル導体を有するケーブルを、銅製の機器側端子を有する電気機器に直接つなぐ場合に、両者を良好な状態で電気的に接続させることができる技術を提供することにある。
【課題を解決するための手段】
【０００７】
本発明の第１の態様は、
アルミニウム製のケーブル導体を有するケーブルを、銅製の機器側端子を有する電気機器に直接接続するための機器直結端末であって、
前記ケーブル導体に圧縮接続されるアルミニウム製の圧縮端子と、
前記圧縮端子にネジ部どうしの螺合によって締結固定される銅製の接続端子と、
を備え、
前記ネジ部どうしの螺合によって締結力が加わる前記圧縮端子の所定部位に銅のメッキ層が形成され、前記メッキ層を介して前記圧縮端子と前記接続端子とが電気的に接続されている
ことを特徴とする機器直結端末である。
【０００８】
本発明の第２の態様は、
アルミニウム製のケーブル導体を有するケーブルを、銅製の機器側端子を有する電気機器に機器直結端末を用いて接続してなるケーブル接続構造であって、
前記機器直結端末は、
前記ケーブル導体に圧縮接続されたアルミニウム製の圧縮端子と、
前記圧縮端子にネジ部どうしの螺合によって締結固定された銅製の接続端子と、
を備え、
前記ネジ部どうしの螺合によって締結力が加わる前記圧縮端子の所定部位に銅のメッキ層が形成され、前記メッキ層を介して前記圧縮端子と前記接続端子とが電気的に接続されている
ことを特徴とするケーブル接続構造である。
【発明の効果】
【０００９】
本発明によれば、アルミニウム製のケーブル導体を有するケーブルを、銅製の機器側端子を有する電気機器に直接つなぐ場合に、両者を良好な状態で電気的に接続させることができる。
【図面の簡単な説明】
【００１０】
【図１】本発明を適用可能な機器直結端末の主要部の構成例を示す断面図である。
【図２】圧縮端子と接続端子の結合状態を示す部分断面図である。
【図３】本発明の第１の実施の形態に係る機器直結端末の構成を説明する図である。
【図４】雌ネジ部と雄ネジ部の噛み合い部分を拡大した断面図である。
【図５】締結時における雌ネジ部と雄ネジ部の噛み合い状態を示す断面図である。
【図６】本発明の第２の実施の形態に係る機器直結端末の構成を説明する図である。
【図７】本発明の第２の実施の形態において圧縮端子に接続端子を締結固定したときの状態を示す拡大図である。
【図８】本発明の第３の実施の形態に係る機器直結端末の構成を説明する図（その１）である。
【図９】本発明の第３の実施の形態に係る機器直結端末の構成を説明する図（その２）である。
【図１０】本発明の第３の実施の形態においてナットを締め付けたときの状態を示す拡大図である。
【図１１】本発明の第３の実施の形態に係る機器直結端末の他の構成を説明する図である。
【発明を実施するための形態】
【００１１】
以下、本発明の実施の形態について図面を参照しつつ詳細に説明する。
【００１２】
＜機器直結端末＞
図１は本発明を適用可能な機器直結端末の主要部の構成例を示す断面図である。
図示した機器直結端末１は、図示しない電気機器にケーブル３を直接接続する場合に用いられるものである。電気機器としては、たとえば、配電設備として用いられる変圧器、遮断器、開閉器などを挙げることができる。機器直結端末１は、ケーブル３の一端部に取り付けられている。また、機器直結端末１は、電気機器の筐体等に取付ボルト４を用いて取り付けられるようになっている。
【００１３】
ケーブル３は、たとえばＣＶケーブル（架橋ポリエチレン絶縁ビニルシースケーブル）などの電力ケーブルであって、芯線を構成するケーブル導体５と、このケーブル導体５を被覆するケーブル絶縁体６と、を少なくとも備えている。ケーブル３の末端では、ケーブル絶縁体６が除去されてケーブル導体５が露出している。ケーブル導体５は、アルミニウム製の導体を用いて構成されている。本明細書で記述する「アルミニウム製」とは、アルミニウムまたはアルミニウム合金で製造されたものをいう。ケーブル絶縁体６は、ケーブル導体５の外側にこれを覆うように形成されている。
【００１４】
機器直結端末１は、大きくは、端末本体７と、この端末本体７の内部に収容される圧縮端子８と、この圧縮端子８に固定される接続端子９と、を備えている。圧縮端子８と接続端子９は、互いに直角をなすように配置され、これにあわせて端末本体７がＬ字形に形成されている。
【００１５】
端末本体７は、適度な弾性を有するゴム等の絶縁材料を用いて構成されている。端末本体７は、ケーブル嵌合部１１と、端子収容部１２と、ブッシング嵌合部１３と、を有している。ケーブル嵌合部１１にはケーブル絶縁体６が嵌合している。端子収容部１２の内部には、圧縮端子８を収容可能になっている。ブッシング嵌合部１３は、図示しない電気機器側に設けられるブッシングが嵌合される部分である。電気機器側のブッシングは、たとえば、エポキシ樹脂などの絶縁材料を用いて構成される。ブッシング嵌合部１３の内面は、ブッシングの受け入れ口側の径が相対的に大きくなるようにテーパー形状に形成されている。
【００１６】
圧縮端子８は、ケーブル導体５に圧縮接続されるものであって、ケーブル導体５と接続端子９との間で導電路を中継する。圧縮端子８は、ケーブル導体５と接続端子９の双方に対して、それぞれ電気的かつ機械的に接続される。圧縮端子８は、アルミニウム製の端子になっている。圧縮端子８は、図２および図３にも示すように、ケーブル接続部１４と端子接続部１５とを一体に有している。ケーブル接続部１４は、ケーブル導体５との接続のための部分であり、端子接続部１５は、接続端子９との接続のための部分である。
【００１７】
圧縮端子８のケーブル接続部１４は、圧縮接続によってケーブル導体５に接続されている。さらに記述すると、圧縮端子８のケーブル接続部１４には導体受け入れ用の穴（不図示）が形成されており、この穴にケーブル導体５を挿入してケーブル接続部１４を外側からダイスで圧縮することにより、圧縮端子８がケーブル導体５に電気的かつ機械的に接続されている。
【００１８】
一方、圧縮端子８の端子接続部１５には、接続端子９の基端部がネジ締結により接続されている。端子接続部１５には、互いに平行な２つの平面部１５ａ，１５ｂが形成されるとともに、これら２つの平面部１５ａ，１５ｂに開口するように雌ネジ部１６が形成されている。雌ネジ部１６は、圧縮端子８の端子接続部１５を、圧縮端子８の中心軸方向と直交する方向に貫通する状態で形成されている。
【００１９】
接続端子９は、ネジ部どうしの螺合によって圧縮端子８に締結固定されるものである。また、接続端子９は、図示しない電気機器が有する銅製の機器側端子に接続可能に構成されている。より具体的に記述すると、接続端子９は、電子機器側に設けられたブッシングに機器直結端末１の端末本体７を嵌合させたときに、ブッシングの内側に位置する機器側端子に物理的に接触することにより、機器側端子に電気的に接続されるものである。
【００２０】
接続端子９は、棒状に突出する雄型の端子になっている。この場合、機器側端子は、接続端子９と接触しつつ接続端子９を挿入可能な雌型の端子となる。雌型の端子としては、たとえば、チューリップ型の端子がある。チューリップ型の端子は、棒状の接続端子９を挿入したときに、接続端子９によって押し開かれるように変形するものである。接続端子９は、機器側端子（雌型の端子）が銅製の端子であることを想定して、これと同じ銅製の端子になっている。本明細書で記述する「銅製」とは、銅または銅合金で製造されたものをいう。接続端子９の表面には、必要に応じて、銀メッキまたは錫メッキによるメッキ層が形成される。
【００２１】
接続端子９は、図２および図３にも示すように、コンタクト端子部１７と、雄ネジ部１８と、ストッパー部１９と、を一体に有している。コンタクト端子部１７は、接続端子９の先端側に設けられている。コンタクト端子部１７は、ブッシング嵌合部１３の内側の空間に棒状に突出する状態で配置されている。ストッパー部１９は、接続端子９の長さ方向において、コンタクト端子部１７と雄ネジ部１８との間に設けられている。また、ストッパー部１９は、雌ネジ部１６の開口周りに位置する平面部１５ａに突き当てられている。ストッパー部１９と平面部１５ａとの間には、必要に応じて、スプリングワッシャなどの緩み止め部材を介在させてもよい。この場合、平面部１５ａは、ストッパー受け部に相当する部分となる。雄ネジ部１８は、接続端子９の基端側に設けられている。雄ネジ部１８は、端末本体７の端子収容部１２で圧縮端子８の雌ネジ部１６に螺合され、これによって接続端子９が圧縮端子８に締結固定されている。
【００２２】
上記構成からなる機器直結端末１は、たとえば、以下のような手順を経て組み立てられる。
まず、ケーブル３の末端を処理してケーブル導体５とケーブル絶縁体６を露出させた後、圧縮端子８を圧縮接続によりケーブル導体５に取り付ける。このとき、圧縮接続用に提供されているコンパウンドを用いる。このコンパウンドは、主材となるグリースに金属粒子を混合したもので、圧縮接続部の電食防止や電気抵抗の低抵抗化などを目的に用いられる。
【００２３】
実際の使用にあたっては、まず、圧縮端子８のケーブル接続部１４の穴１４ａの中に適量のコンパウンドを塗布する。次に、ケーブル接続部１４の穴１４ａにケーブル導体５を挿入し、ダイスを用いて圧縮接続を行う。これにより、ケーブル接続部１４とケーブル導体５とが電気的に接続された状態で一体に結合される。これにより、ケーブル接続部１４とケーブル導体５とが電気的に接続された状態で一体に結合される。
【００２４】
この場合、圧縮端子８とケーブル導体５とは、アルミニウムどうしの接触となるものの、上述したコンパウンドを使用して圧縮接続すれば、コンパウンドに含まれる金属粒子を介して部材間の導通が図られる。このため、アルミニウムの酸化被膜による電気抵抗の増加が抑制される。また、圧縮接続の対象となるケーブル導体５と圧縮端子８とは、熱膨張率が等しい導電材料で構成することが望ましい。このため、本実施の形態では、アルミニウム製のケーブル導体５に対してアルミニウム製の圧縮端子８を接続している。
【００２５】
次に、端末本体７のケーブル嵌合部１１を通して圧縮端子８を端子収容部１２に収容するとともに、ケーブル嵌合部１１にケーブル絶縁体６を嵌合させる。このとき、端末本体７のブッシング嵌合部１３の開口部分を通して端子接続部１５の雌ネジ部１６が見えるように、端末本体７を適宜回転させる。
【００２６】
次に、端末本体７のブッシング嵌合部１３の開口部分を通して接続端子９を端子収容部１２に挿入する。このとき、端子収容部１２に収容されている圧縮端子８の雌ネジ部１６に接続端子９の雄ネジ部１８を螺合させ、その状態で接続端子９を回転させる。そうすると、接続端子９のストッパー部１９が圧縮端子８の平面部１５ａに突き当たるため、その状態で接続端子９を適度な力で締め付ける。これにより、圧縮端子８に接続端子９が締結固定される。
【００２７】
＜第１の実施の形態＞
次に、本発明の第１の実施の形態に係る機器直結端末の構成について説明する。
図３に示すように、圧縮端子８の雌ネジ部１６には、銅のメッキ層２０が形成されている。このメッキ層２０は、雌ネジ部１６の表面（螺合面）を覆うように形成されている。また、メッキ層２０は、圧縮端子８の主材料となるアルミニウム等の下地面に密着した状態で形成されている。メッキ層２０は、メッキ厚がある程度厚くなるように、いわゆる銅厚メッキによって形成するのがよい。メッキ層２０の厚さは、好ましくは１５０μｍ以上、より好ましくは２００μｍ以上、さらに好ましくは２５０μｍ以上確保するのがよい。また、メッキ層２０の表面は、必要に応じて、銀のメッキ層または錫のメッキ層によって覆ってもよい。
【００２８】
上述のように圧縮端子８の雌ネジ部１６に銅のメッキ層２０を形成した場合は、圧縮端子８に接続端子９を取り付けたときに、以下のようにして、圧縮端子８と接続端子９とがメッキ層２０を介して電気的に接続される。
【００２９】
まず、上述した機器直結端末１の組立工程では、圧縮端子８に接続端子９を固定するために、圧縮端子８の雌ネジ部１６に接続端子９の雄ネジ部１８を螺合させる。このとき、雌ネジ部１６に雄ネジ部１８を螺合しつつ接続端子９を所定の方向に回転させると、それにしたがって雄ネジ部１８が雌ネジ部１６の中に徐々に進入していく。この過程では、図４に示すように、雌ネジ部１６と雄ネジ部１８の噛み合い部分に隙間が存在するため、ネジ部の螺合面どうしが強く擦り合うことはない。このため、雌ネジ部１６のメッキ層２０は、ほとんどダメージを受けることがない。
【００３０】
その後、接続端子９をさらに回転させていくと、接続端子９のストッパー部１９が圧縮端子８の平面部１５ａに突き当たり、それと同時に雄ネジ部１８の進入動作が停止する。この状態で接続端子９を締め付けると、その締め付け力と締め付け方向にしたがって図５に示すように雌ネジ部１６の螺合面と雄ネジ部１８の螺合面が互いに接触する。これにより、接続端子９が圧縮端子８に締結固定される。また、圧縮端子８と接続端子９とは、メッキ層２０を介して電気的に接続された状態になる。また、メッキ層２０が形成されている雌ネジ部１６の螺合面には、ネジ部どうしの螺合によって締結力（締め付けによって生じる圧力）Ｐが加わり、この締結力Ｐをもって雄ネジ部１８がメッキ層２０に強く密着した状態となる。
【００３１】
＜実施の形態の効果＞
本実施の形態によれば、以下に示す１つまたは複数の効果が得られる。
【００３２】
本実施の形態に係る機器直結端末１では、アルミニウム製の圧縮端子８と銅製の接続端子９とを、圧縮端子８の所定部位に形成した銅のメッキ層２０を介して電気的に接続している。このため、機器直結端末１を電気機器側のブッシングに嵌合させる場合は、機器直結端末１と電気機器との電気的な接続が、銅どうしの接触によってなされる。したがって、アルミニウム製のケーブル導体５を有するケーブル３を、銅製の機器側端子を有する電気機器に直接つなぐ場合に、両者を良好な状態で電気的に接続させることができる。
【００３３】
本実施の形態に係る機器直結端末１では、圧縮端子８の雌ネジ部１６に銅のメッキ層２０を形成している。このため、雌ネジ部１６と雄ネジ部１８の螺合によって圧縮端子８に接続端子９を締結固定するだけで、圧縮端子８と接続端子９とを電気的に接続させることができる。
【００３４】
また、本実施の形態においては、雌ネジ部１６と雄ネジ部１８の螺合によって締結力が加わる圧縮端子８の雌ネジ部１６にメッキ層２０を形成している。このため、接続端子９の雄ネジ部１８を圧縮端子８のメッキ層２０に強く密着させることができる。
これにより、圧縮端子８と接続端子９との間に安定した導通状態が得られる。また、圧縮端子８と接続端子９との導通状態を長期にわたって良好に維持することができる。
【００３５】
また、本実施の形態においては、圧縮端子８の雌ネジ部１６に形成するメッキ層２０の厚さを１５０μｍ以上確保している。このため、仮にネジ部どうしの螺合（接触）によってメッキ層２０の表面が少し削られたとしても、メッキ層２０を介して圧縮端子８と接続端子９を確実に導通させることができる。
【００３６】
＜第２の実施の形態＞
本発明の第２の実施の形態においては、上記第１の実施の形態に比較して、銅のメッキ層２０を形成している部位が異なる。すなわち、第２の実施の形態では、圧縮端子８に接続端子９を締結固定するときに、圧縮端子８に対して接続端子９のストッパー部１９が突き当たる部分、具体的には、図６に示すように、雌ネジ部１６が開口している一方の平面部（ストッパー受け部）１５ａに、銅のメッキ層２０が形成されている。
【００３７】
このように圧縮端子８の平面部１５ａに銅のメッキ層２０を形成した場合は、雌ネジ部１６と雄ネジ部１８の螺合によって圧縮端子８に接続端子９を締結固定する場合に、図７に示すように、接続端子９のストッパー部１９が圧縮端子８の平面部１５ａに接触するとともに、この接触部分にネジ部どうしの螺合による締結力Ｐが加わる。このため、接続端子９のストッパー部１９が圧縮端子８のメッキ層２０に強く押し付けられる。したがって、圧縮端子８と接続端子９とを電気的に接続させるにあたって、圧縮端子８のメッキ層２０に接続端子９のストッパー部１９を強く密着させることができる。これにより、圧縮端子８と接続端子９との間に安定した導通状態が得られる。また、圧縮端子８と接続端子９との導通状態を長期にわたって良好に維持することができる。
【００３８】
＜第３の実施の形態＞
本発明の第３の実施の形態においては、圧縮端子８に接続端子９を締結固定するにあたって、図８に示すように、銅製のナット２１を使用している。このナット２１は、接続端子９の雄ネジ部１８の端部に螺合している。さらに詳述すると、接続端子９の雄ネジ部１８は、圧縮端子８の端子接続部１５に形成された貫通穴２２に挿通している。また、雄ネジ部１８は、貫通穴２２の開口から突出し、この突出部分にナット２１が螺合している。ナット２１は、貫通穴２２の開口周りに位置する平面部１５ｂに突き当てられている。この場合、平面部１５ｂは、ナット受け部に相当する部分となる。
なお、必要に応じて、ナット２１と圧縮端子８との間に銅製のワッシャー（好ましくは、緩み止め機能をなすスプリングワッシャー）を設けてもよい。
【００３９】
また、端子接続部１５の平面部１５ｂには、図９に示すように、銅のメッキ層２０が形成されている。このメッキ層２０は、接続端子９の雄ネジ部１８にナット２１を装着して締め付けたときに、ナット２１の端面が突き当たる部分に形成されている。また、図示はしないが、端末本体７には、端子収容部１２に収容された接続端子９の雄ネジ部１８にナット２１を装着するための開口が形成されている。この開口は、図示しないキャップ部材によって閉塞可能に構成しておくとよい。
【００４０】
上述のように圧縮端子８の平面部１５ｂに銅のメッキ層２０を形成した場合は、図１０に示すように、接続端子９の雄ネジ部１８にナット２１を装着して締め付けたときに、ナット２１の端面が圧縮端子８の平面部１５ｂに接触するとともに、この接触部分にネジ部どうしの螺合による締結力Ｐが加わる。このため、ナット２１の端面が圧縮端子８のメッキ層２０に強く押し付けられる。したがって、圧縮端子８と接続端子９とを電気的に接続させるにあたって、圧縮端子８のメッキ層２０にナット２１の端面を強く密着させることができる。これにより、圧縮端子８と接続端子９との間に安定した導通状態が得られる。また、圧縮端子８と接続端子９との導通状態を長期にわたって良好に維持することができる。
【００４１】
また、ナット２１を使用する場合は、図１１に示すように、端子接続部１５の２つの平面部１５，１５ｂにそれぞれ銅のメッキ層２０ａ，２０ｂを形成してもよい。このように２つの平面部１５ａ，１５ｂの両方に銅のメッキ層２０ａ，２０ｂを形成した場合は、端子接続部１５の貫通穴２２に挿入した接続端子９の雄ネジ部１８にナット２１を装着して締め付けたときに、接続端子９のストッパー部１９がメッキ層２０ａに強く押し付けられるとともに、ナット２１の端面がメッキ層２０ｂに強く押し付けられる。このため、２つの平面部１５ａ，１５ｂの一方だけにメッキ層２０を形成する場合に比べて、圧縮端子８と接続端子９を電気的に接続させるための接触面積を広く確保することができる。また、２つの平面部１５ａ，１５ｂのうち、たとえば一方の平面部１５ａに導通不良が発生した場合でも、他方の平面部１５ｂで導通状態を維持することができる。このため、圧縮端子８と接続端子９とを電気的に接続する場合の導電路に冗長性をもたせることができる。
【００４２】
＜変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００４３】
たとえば、圧縮端子８に接続端子９を締結固定する場合は、上記第１の実施の形態や第２の実施の形態のように端子接続部１５に雌ネジ部１６を形成し、この雌ネジ部１６に接続端子９の雄ネジ部１８を螺合させたうえで、上記第３の実施の形態のように雄ネジ部１８の端部にナット２１を装着してもよい。
【００４４】
また、圧縮端子８の雌ネジ部１６に銅のメッキ層２０を形成したうえで、一方の平面部１５ａ、または他方の平面部１５ｂ、あるいは両方の平面部１５ａ，１５ｂに、銅のメッキ層２０を形成してもよい。
【００４５】
また、上記第１，第２の実施の形態においては、圧縮端子８に雌ネジ部１６、接続端子９に雄ネジ部１８を形成したが、ネジ部の雌雄の関係は逆であってもよい。
【００４６】
また、圧縮端子８の所定部位に銅のメッキ層２０を形成する方法については、たとえば、電解メッキや無電解メッキなど、いずれのメッキ処理方法を採用してもよい。また、圧縮端子８の所定部位だけに銅のメッキ層２０を形成する場合は、所定部位以外の部分をマスクしてメッキ処理し、所定部位を含む圧縮端子８の端子接続部１５全体に銅のメッキ層２０を形成する場合は、マスクなしで端子接続部１５全体をメッキ浴に浸漬させてメッキ処理すればよい。
【００４７】
また本発明は、上述した機器直結端末１として実現するだけでなく、機器直結端末にケーブルを取り付けた状態のケーブル付き機器直結端末として実現したり、あるいは、アルミニウム製のケーブル導体を有するケーブルを、銅製の機器側端子を有する電気機器に機器直結端末を用いて接続してなるケーブル接続構造として実現することも可能である。
【符号の説明】
【００４８】
１…機器直結端末
３…ケーブル
５…ケーブル導体
６…ケーブル絶縁体
７…端末本体
８…圧縮端子
９…接続端子
１５ａ，１５ｂ…平面部
１６…雌ネジ部
１８…雄ネジ部
１９…ストッパー部
２０…メッキ層
２１…ナット
２２…貫通穴
【図１】
0006418643.tif 000002
【図２】
0006418643.tif 000003
【図３】
0006418643.tif 000004
【図４】
0006418643.tif 000005
【図５】
0006418643.tif 000006
【図６】
0006418643.tif 000007
【図７】
0006418643.tif 000008
【図８】
0006418643.tif 000009
【図９】
0006418643.tif 000010
【図１０】
0006418643.tif 000011
【図１１】
0006418643.tif 000012